(57)【要約】      （修正有）【課題】人体のコラーゲン及びヒアルロン酸の吸収率を向上させるミクロスフィア製造装置を提供する。【解決手段】ミクロスフィア製造装置１０は、注入ポンプ１２と、噴霧器１３、超音波振動発生器１４を含む。注入ポンプは、第１注射器１２１と第２注射器１２２があり、第１注射器は第１収容空間１２１Ｒを含み、第２注射器は第２収容空間１２２Ｒを含む。噴霧器は、噴霧器ハウジングと、第１ガイド管１３１及び第２ガイド管１３２を含み、噴霧器ハウジングはノズル１３０Ｓを含む。第１ガイド管の一端は第１収容空間と接続し、第２ガイド管の一端は第２収容空間と接続し、且つ第２ガイド管の一部分は、第１ガイド管の一部分を覆って二重ガイド管構造を形成する。超音波振動発生器は、振動発生器ハウジング１４０と２つの振動ヘッド１４１を含み、振動ヘッドは、噴霧器のハウジング内に配置され、二重ガイド管構造は、２つの振動ヘッドの間に配置される。【選択図】図１
0003231120.tif 000002
【実用新案登録請求の範囲】
【請求項１】
第１収容空間を含む第１注射器と、
第２収容空間を含む第２注射器と、
を含む注入ポンプと、
ノズルを含む噴霧器ハウジングと、
一端が前記第１収容空間と接続する第１ガイド管と、
一端が前記第２収容空間と接続し、且つ一部分が前記第１ガイド管の一部分を覆って二重ガイド管構造を形成する第２ガイド管と、
を含む噴霧器と、
振動発生器ハウジングと、
接続線によって前記振動発生器ハウジングに接続される２つの振動ヘッドと、
を含む超音波振動発生器と、を含み、
前記振動ヘッドは、前記噴霧器ハウジング内に配置され、且つ前記二重ガイド管構造は、前記２つの振動ヘッドの間に配置される、ミクロスフィア製造装置。
【請求項２】
前記第１ガイド管の他端及び前記第２ガイド管の他端は、何れも前記ノズルに配置される請求項１に記載のミクロスフィア製造装置。
【請求項３】
前記第２収容空間は、ゲルを収容することに用いられる請求項１に記載のミクロスフィア製造装置。
【請求項４】
前記第１収容空間は、魚鱗コラーゲントリペプチド、シルクプロテイン、又は食品グレードのヒアルロン酸を収容することに用いられる請求項１に記載のミクロスフィア製造装置。
【請求項５】
前記第１収容空間は、メンテナンス液を収容することに用いられ、前記メンテナンス液の成分は、魚鱗コラーゲントリペプチド、シルクプロテイン及び食品グレードのヒアルロン酸からなる群より選択される請求項１に記載のミクロスフィア製造装置。
【請求項６】
前記第２ガイド管は、チタン材質の円筒構造である請求項１に記載のミクロスフィア製造装置。
【請求項７】
前記注入ポンプの流量の範囲が０．００３〜３０ｍＬ／分である請求項１に記載のミクロスフィア製造装置。
【考案の詳細な説明】
【技術分野】
【０００１】
本考案は、ミクロスフィア製造装置に関し、特に超音波振動発生器を備えたミクロスフィア製造装置に関する。
【背景技術】
【０００２】
スキンケア液は、コラーゲン又はヒアルロン酸等の成分豊富に含むことを特徴とすることがよくある。その中で、コラーゲンも一種のタンパク質であり、タンパク質は多くのアミノ酸の組み合わせである。しかし、食物中のコラーゲンが食されて体内に入ると、胃腸内の多くの酵素（プロテアーゼ）がそれをアミノ酸に分解し、更に腸に吸収される。従って、人体は実際にはコラーゲンではなくアミノ酸を吸収している。また、コラーゲンの分子量が大きいため、皮膚の角質層に浸透して人体に吸収されることが容易ではない。
【０００３】
また、人体の肌が電波スキンリフト治療を受けた後、前記治療は、人体の肌の元のコラーゲンを部分的に破壊して肌を引き締める効果を達成するが、コラーゲンを再生するためには、電波スキンリフトを受ける患者が大量のコラーゲンを補充する必要がある。
【０００４】
また、ヒアルロン酸は、無色無味で、高い粘弾性、保水性及び潤滑作用を有するため、ヒアルロン酸は肌が水分を留めることを補助し、肌の弾性及び潤いを維持することができる。しかし、ヒアルロン酸は、高分子物質でもあるため、皮膚の角質層に浸透するが同様に容易ではない。
【０００５】
従って、人体のコラーゲンとヒアルロン酸の吸収率をどのように向上させるかは、当業者が検討するに値することである。
【考案の概要】
【考案が解決しようとする課題】
【０００６】
本考案の目的は、人体のコラーゲン及びヒアルロン酸の吸収率を向上させることができるミクロスフィア製造装置を提供することにある。
【課題を解決するための手段】
【０００７】
本考案のミクロスフィア製造装置は、注入ポンプと、噴霧器、超音波振動発生器を含む。注入ポンプは、第１注射器と第２注射器があり、第１注射器は第１収容空間を含み、第２注射器は第２収容空間を含む。また、噴霧器は、噴霧器ハウジングと、第１ガイド管及び第２ガイド管を含み、噴霧器ハウジングは、ノズルを含む。第１ガイド管の一端は、第１収容空間と接続し、第２ガイド管の一端は、第２収容空間と接続し、且つ前記第２チューブの一部分は、第１ガイド管の一部分を覆って二重ガイド管構造を形成する。また、超音波振動発生器は、振動発生器ハウジングと２つの振動ヘッドを含み、振動ヘッドは、接続線によって振動発生器ハウジングに接続される。ここで、振動ヘッドは、前記噴霧器のハウジング内に配置され、前記二重ガイド管構造は、前記２つの振動ヘッドの間に配置される。
【０００８】
上記電波スキンリフト用ミクロスフィア製造装置において、前記第１ガイド管の他端及び前記第２ガイド管の他端は、何れも前記ノズルに配置される。
【０００９】
上記電波スキンリフト用ミクロスフィア製造装置において、前記第２収容空間は、ゲルを収容することに用いられる。
【００１０】
上記電波スキンリフト用ミクロスフィア製造装置において、前記第１収容空間は、魚鱗コラーゲントリペプチド、シルクプロテイン、又は食品グレードのヒアルロン酸を収容することに用いられる。
【００１１】
上記電波スキンリフト用ミクロスフィア製造装置において、前記第１収容空間は、メンテナンス液を収容することに用いられ、前記メンテナンス液の成分は、魚鱗コラーゲントリペプチド、シルクプロテイン及び食品グレードのヒアルロン酸からなる群より選択される。
【００１２】
上記電波スキンリフト用ミクロスフィア製造装置において、前記第２ガイド管は、チタン材質の円筒構造である。
【００１３】
上記電波スキンリフト用ミクロスフィア製造装置において、前記注入ポンプの流量の範囲が０．００３〜３０ｍＬ／分である。
【考案の効果】
【００１４】
本考案のミクロスフィア製造装置は、人体のコラーゲン及びヒアルロン酸の吸収率を向上させることができる。
【図面の簡単な説明】
【００１５】
【図１】ミクロスフィア製造装置の説明図である。
【図２】噴霧器及び振動ヘッドの説明図である。
【図３】複数のミクロスフィアの説明図である。
【考案を実施するための形態】
【００１６】
図１及び図２を参照し、図１は、ミクロスフィア製造装置の説明図であり、図２は、噴霧器及び振動ヘッドの説明図である。ミクロスフィア製造装置１０は、注入ポンプ１２、噴霧器１３、及び超音波振動発生器１４を含む。
【００１７】
注入ポンプ１２は、流量範囲が０．００３〜３０ｍＬ／分の二軸固定速度注入ポンプである。注入ポンプ１２は、第１注射器１２１、第２注射器１２２及びタッチスクリーン１２３を含み、第１注射器１２１は、第１収容空間１２１Ｒを含み、第１収容空間１２１Ｒの収容範囲は、１０μＬ〜６０ｍＬであり、第１収容空間１２１Ｒは、メンテナンス液１２１Ｃを収容することに用いられ（図３参照）、メンテナンス液１２１Ｃの成分は、例えば、魚鱗コラーゲントリペプチド、シルクプロテイン又は食品グレードのヒアルロン酸である。また、メンテナンス液１２１Ｃの成分は、前記魚鱗コラーゲントリペプチド、前記シルクプロテイン及び前記食品グレードのヒアルロン酸からなる群から選択することもできる。
【００１８】
上記において、前記魚鱗コラーゲントリペプチドは、ＦＣＰ‐９０コラーゲントリペプチドであり、そのタンパク質含有量は、９０％以上に達し、６０％以上の分子量≦１０００Ｄａであり、胃酸によって破壊され難く、人体の吸収及び利用に最も適している。また、ＦＣＰ‐９０コラーゲントリペプチドは、高分子のコラーゲンを低分子のペプチドに分解し、胃腸の消化時間を減少させてすばやく吸収される。
【００１９】
上記において、前記シルクプロテインは、天然シルクから抽出されたタンパク質であり、７０〜８０％のフィブロイン（ｆｉｂｒｏｉｎ）及び２０〜３０％セリシン（ｓｅｒｉｃｉｎ）を含んで構成される。ここで、シルクプロテインは、シルクの構造の中心であり、３５％のシルクボリュームボイドを有し、外層のセリシンは、親水性側鎖のアミノ酸を更に有し、シルクに極めて良好な保湿機能をもたせ、このような特性は、シルクプロテインに人体の肌及び角質層の水分調節に極めて大きな効果をもたらす。また、セリシンの分子量はコラーゲンよりもはるかに小さく、肌の角質層にすばやく浸透して、コラーゲンよりも高い保湿力を達成することができる。
【００２０】
上記において、前記食品グレードのヒアルロン酸は、特殊な微生物発酵技術を採用しており、その純度は９５〜９９．９％に達することができ、安全性、吸収率が高いという特徴を有する。
【００２１】
さらに、第２注射器１２２は、第２収容空間１２２Ｒを含み、第２収容空間１２２Ｒの体積範囲は１０ｕＬ〜６０ｍＬであり、第２収容空間は、ゲル１２２Ｇを収容することに用いられ（図３参照）、ゲル１２２Ｇは、メンテナンス液１２１Ｃを覆うことに用いられる。
【００２２】
再度、図１及び図２を参照し、噴霧器１３は、噴霧器ハウジング１３０、第１ガイド管１３１及び第２ガイド管１３２を含む。ここで、噴霧器ハウジング１３０は、ノズル１３０Ｓを含む。また、第１ガイド管１３１は、円筒構造であり、その孔径範囲０．５ｍｍ〜２ｍｍであり、第１ガイド管１３１の一端は、第１収容空間１２１Ｒと接続され、第１ガイド管１３１の他端は、ノズル１３０Ｓ箇所に配置される。
【００２３】
また、第２ガイド管１３２は、チタン材質の円筒構造であり、その孔径の範囲１〜４ｍｍであり、第２ガイド管１３２の一端は、第２収容空間１２２Ｒと接続され、第２ガイド管１３２の他端もノズル１３０Ｓ箇所に配置される。注意すべきこととして、第２ガイド管１３２の一部分は、第１ガイド管１３１の一部分を覆って二重ガイド管構造１３３を形成する。また、メンテナンス液１２１Ｃは、第１ガイド管１３１によって噴霧器１３内に移送され、ゲル１２２Ｇは、第２ガイド管１３２によって噴霧器１３内に移送される。従って、二重ガイド管構造１３３において、ゲル１２２Ｇは、メンテナンス液１２１Ｃの周囲を取り囲む。
【００２４】
超音波振動発生器１４は、振動発生器ハウジング１４０及び２つの振動ヘッド１４１を含み、振動ヘッド１４１は、接続線１４１Ｌによって振動発生器ハウジング１４０に接続される。注意すべきこととして、振動ヘッド１４１は、噴霧器１３の噴霧器ハウジング１３０内に配置され、二重管構造１３３は、２つの振動ヘッド１４１の間に配置される。
【００２５】
超音波振動発生器１４が超音波を発生する時、振動ヘッド１４１は、接続線１４１Ｌによって超音波振動発生器１４の高周波電気エネルギーを受け取り、高周波電気エネルギーを振動機械エネルギーに変換して超高振動周波数を発生する。更に、振動ヘッド１４１が超高振動周波数を発生する時、チタン材質の第２ガイド管１３２は、振動周波数を増加させて、二重ガイド管構造１３３の方向に沿って振動エネルギーを発生する。その後、メンテナンス液１２１Ｃとゲル１２２Ｇが前記振動エネルギーを吸収した後、メンテナンス液１２１Ｃ及びゲル１２２Ｇはノズル１３０Ｓ箇所で合流して複数の小さな粒子状のミクロスフィアとして噴霧され、これらのミクロスフィアの粒子サイズ範囲は５０ｎｍ〜１００μｍである（図３を参照し、図３に示すのは、複数のミクロスフィアの説明図である）。このようにして、魚鱗コラーゲントリペプチド、シルクプロテイン又は食品グレードのヒアルロン酸がミクロスフィアの状態になり、人体が吸収するのを助ける。
【００２６】
また、人体の肌が電波スキンリフト治療を受けると、ミクロスフィアを介して肌に必要なコラーゲンとヒアルロン酸を補うこともできる。又は、電波スキンリフト治療において、ミクロスフィアを人体の肌に塗布することもできる。
【００２７】
上記をまとめると、ミクロスフィア製造装置１０は、人体のコラーゲン及びヒアルロン酸の吸収率を向上させることができる。
【符号の説明】
【００２８】
１０  電波スキンリフト用ミクロスフィア製造装置
１２  注入ポンプ
１２１  第１注射器
１２１Ｃ  メンテナンス液
１２１Ｒ  第１収容空間
１２２  第２注射器
１２２Ｇ  ゲル
１２２Ｒ  第２収容空間
１２３  タッチスクリーン
１３  噴霧器
１３０Ｓ  ノズル
１３１  第１ガイド管
１３２  第２ガイド管
１３３  二重ガイド管構造
１４  超音波振動発生器
１４０  振動発生器ハウジング
１４１  振動ヘッド
１４１Ｌ  接続線
【図１】
0003231120.tif 000003
【図２】
0003231120.tif 000004
【図３】
0003231120.tif 000005